(57)【要約】【課題】光源装置の接続が容易な照明器具を提供する。【解決手段】光源装置１が着脱自在に結合する器具本体２と、光源装置１が有するレセプタクル１４に挿入接続されることで光源装置１に電気的に接続されるプラグ５とを備える。また、器具本体２に光源装置１が結合したときに光源装置１からの押力を伝達してプラグ５をレセプタクル１４に挿入する方向に変位させるリンク機構６と、リンク機構６に作用する光源装置１からの押力が解除されたときにプラグ５をレセプタクル１４から抜く方向に変位させる復帰手段としてのプラグ復帰ばね７とを備える。器具本体２への光源装置１の取り付けとともにプラグ５がレセプタクル１４に挿入接続されるから、プラグ５の挿入作業を別途に要する場合に比べて光源装置１の接続が容易となる。【選択図】図１
2013143288.tif 000002
【特許請求の範囲】
【請求項１】
電気的な光源を有する光源装置が接続される照明器具であって、
前記光源装置が着脱自在に結合する器具本体と、
前記光源装置が有するレセプタクルに挿入接続されることで前記光源装置に電気的に接続されるプラグと、
前記器具本体に前記光源装置が結合したときに前記光源装置からの押力を伝達して前記プラグを前記レセプタクルに挿入する方向に変位させるリンク機構と、
前記光源装置からの押力が前記リンク機構に作用しなくなったときに前記プラグを前記レセプタクルから抜く方向に変位させる復帰手段とを備えることを特徴とする照明器具。
【請求項２】
前記復帰手段は、前記プラグと前記器具本体との間に介装された圧縮コイルばねからなることを特徴とする請求項１記載の照明器具。
【発明の詳細な説明】
【技術分野】
【０００１】
本発明は、照明器具に関するものである。
【背景技術】
【０００２】
従来から、電気的な光源を有する光源装置が着脱自在に結合する器具本体を備える照明器具が提供されている。
【０００３】
上記の光源装置としては、光源としての複数個の発光ダイオードを有し、一般的な直管形の蛍光灯に準じた外形に形成された直管形ＬＥＤランプがある（例えば、特許文献１参照）。
【０００４】
さらに、上記の光源装置が接続される照明器具において、直管形の蛍光灯に対応した構造のソケットを器具本体に有しながらも、ソケットとは別途に設けられたプラグを、光源装置において口金とは別途に設けられたレセプタクルに挿入接続することにより、光源装置との電気的な接続を達成するものがある。上記のように別途のプラグを用いれば、口金やソケットを用いて電気的な接続を達成する場合と違い、仮に蛍光灯が誤って接続されても、発光ダイオード用の電力が蛍光灯に出力されてしまうことがない。
【先行技術文献】
【特許文献】
【０００５】
【特許文献１】特開２０１１−１０８３７８号公報
【発明の概要】
【発明が解決しようとする課題】
【０００６】
従来は、上記のような照明器具において、器具本体（ソケット）に対する光源装置の取付作業とは別途に、レセプタクルに対するプラグの挿入接続の作業が必要であり、光源装置の接続作業が比較的に煩わしかった。
【０００７】
本発明は、上記事由に鑑みて為されたものであり、その目的は、光源装置の接続が容易な照明器具を提供することにある。
【課題を解決するための手段】
【０００８】
本発明は、電気的な光源を有する光源装置が接続される照明器具であって、前記光源装置が着脱自在に結合する器具本体と、前記光源装置が有するレセプタクルに挿入接続されることで前記光源装置に電気的に接続されるプラグと、前記器具本体に前記光源装置が結合したときに前記光源装置からの押力を伝達して前記プラグを前記レセプタクルに挿入する方向に変位させるリンク機構と、前記光源装置からの押力が前記リンク機構に作用しなくなったときに前記プラグを前記レセプタクルから抜く方向に変位させる復帰手段とを備えることを特徴とする。
【０００９】
上記の照明器具において、前記復帰手段は、前記プラグと前記器具本体との間に介装された圧縮コイルばねからなることが望ましい。
【発明の効果】
【００１０】
本発明によれば、器具本体への光源装置の取り付けとともにプラグが挿入接続されるので、プラグの接続作業を取付作業とは別途に必要とする場合に比べて光源装置の接続が容易となる。
【図面の簡単な説明】
【００１１】
【図１】（ａ）（ｂ）はそれぞれ本発明の実施形態の要部を示す一部破断して第１復帰ばねを省略した正面図であり、（ａ）は光源装置の接続が完了していない状態を示し、（ｂ）は光源装置の接続が完了した状態を示す。
【図２】同上を示す正面図である。
【図３】同上を示す分解斜視図である。
【図４】同上における一方のソケットを示す分解斜視図である。
【図５】同上における一方のソケットのプランジャを示す斜視図である。
【図６】同上における一方のソケットのソケットボディを示す斜視図である。
【図７】同上における一方のソケットを示す斜視図である。
【図８】同上におけるプラグを示す斜視図である。
【図９】同上におけるボディの要部を示す斜視図である。
【図１０】同上の要部を示す斜視図である。
【発明を実施するための形態】
【００１２】
以下、本発明を実施するための最良の形態について、図面を参照しながら説明する。
【００１３】
本実施形態は、図２及び図３に示すように、一般的な直管形の蛍光灯に準じた外形に形成された直管形の光源装置１が接続される照明器具であって、光源装置１が着脱自在に結合する器具本体２を備える。以下、上下左右は図２を基準とし、図２の紙面に直交する方向を前後方向と呼ぶ。なお、上記の方向は説明の便宜上定義するものであって、実際の使用状態での方向とは必ずしも一致しない。
【００１４】
光源装置１は、軸方向を左右方向に向けた円柱形状であって光を下方に出射させるように構成された本体部１１と、本体部１１の左右（つまり軸方向）の両端部にそれぞれ設けられた口金１２とを有する。各口金１２はそれぞれ外周面を本体部１１の外周面に略連続させた円柱形状となっている。また、各口金１２の端面には、それぞれ２本ずつのピン１３が、前後に並べて左右方向の外向きに突設されている。さらに、本体部１１には、電気的な光源である複数個の発光ダイオード（図示せず）が、下方に光を出射させる向きで収納されている。本体部１１の外周面の下半分は、透光性を有する材料で構成されており、上記の各発光ダイオードの光は下方に出射する。また、本体部１１の右端付近の上面には、上向きに開口したレセプタクル１４が設けられており、各発光ダイオードはそれぞれレセプタクル１４を介して給電される。なお、電気的な光源としては、発光ダイオードに代えて有機ＥＬなどの他の周知の光源を用いてもよい。
【００１５】
器具本体２は、左右に長い形状であって取付面（例えば天井面）に対し上面を向けて固定されるボディ３を備える。ボディ３の左右両端部には、それぞれ、一般的な直管形の蛍光灯に対応したソケット４が１個ずつ取り付けられている。各ソケット４はボディ３の下方に突出する向きで取り付けられており、接続された光源装置１はボディ３の下側に位置する。また、光源装置１のレセプタクル１４に挿入接続されて光源装置１への給電に用いられるプラグ５が、器具本体２に対して上下に変位可能に支持されている。プラグ５は、リンク機構６を介して右側のソケット４に連結されており、光源装置１が接続されていない状態では光源装置１に干渉しない位置に保持され、光源装置１が接続されると下方に変位してレセプタクル１４に挿入接続される。
【００１６】
以下、各部について具体的に説明する。
【００１７】
ボディ３は、金属板に打ち抜き加工と曲げ加工とが施されてなり、それぞれ１個ずつのソケット４が装着される２個のソケット保持部３１と、ソケット保持部３１同士を互いに連結する連結部３２とを有する。各ソケット保持部３１は、それぞれ、厚さ方向を上下方向に向けており、上下方向に貫通した貫通穴である保持穴３０を有する。各保持穴３０は、それぞれ、前後方向の寸法がソケット４よりも僅かに小さい固定部３０１と、固定部３０１に対して左右方向の内側に連続し固定部３０１よりも前後方向に拡張されてソケット４を挿通可能な導入部３０２とからなる。各ソケット４の上端部の前後両面にはそれぞれ左右方向に開放された結合溝４０が設けられている。ソケット４をボディ３に取り付けるには、ソケット４を導入部３０２に導入し、その後、ソケット４をボディ３に対して左右方向の外向きに平行移動させて固定部３０１の前後の端縁をそれぞれ結合溝４０に導入する。また、右側のソケット保持部３１には、前後方向においてプラグ５を挟む２個のガイド凸部３３が下方への切り起こしによって設けられている。プラグ５は、上記のガイド凸部３３により、ボディ３に対して上下に平行移動可能にガイドされている。
【００１８】
図４〜図６に示すように、各ソケット４（図４〜図６には右側のソケット４についてのみ図示）は、各結合溝４０と左右方向の内向きに開口した収納凹部４１０とを有するソケットボディ４１と、口金１２に当接するプランジャ４２と、プランジャ４２とともに収納凹部４１０を閉塞する形でソケットボディ４１に被着されたソケットカバー４３とを有する。ソケットカバー４３をソケットボディ４１に対して結合させる手段としては、嵌合やねじ止めといった周知の手段を用いることができる。
【００１９】
プランジャ４２は、図５に示すように、口金１２よりも大きい外径を有する有底円筒形状であって外底面を口金１２に当接させる本体部４２１と、本体部４２１において開口側の一端部から径方向の外向きに突設された鍔部４２２とを有する。ソケットカバー４３にはプランジャ４２の本体部４２１が挿通される円形状のプランジャ挿通穴４３０が設けられている。プランジャ挿通穴４３０は内径が本体部４２１の外径よりも僅かに大きい程度であって、鍔部４２２がプランジャ挿通穴４３０に挿通不可能とされていることで、プランジャ４２の脱落は防止されている。また、プランジャ４２は、本体部４２１がプランジャ挿通穴４３０に挿通されることで、ソケットカバー４３に対して左右に変位可能に支持されている。さらに、プランジャ４２の底面には、それぞれ光源装置１のピン１３が挿通される貫通穴である２個のピン挿通穴４２０が前後に並べて設けられている。
【００２０】
さらに、ソケット４は、光源装置１からプランジャ４２への押力が解除されたときにプランジャ４２を復帰させる第１復帰ばね４４及び第２復帰ばね４５を２個ずつ有する。各第１復帰ばね４４は、それぞれ上下に長く上端部がソケットボディ４１に固定されて下端部が厚さ方向を左右方向に向けて１個ずつのピン挿通穴４２０に臨む板ばねからなる。また、各第２復帰ばね４５は、それぞれ、軸方向を左右方向に向けて収納凹部４１０の底面に一端が弾接して他端を１個ずつの第１復帰ばね４４の下端部に弾接させる圧縮コイルばねからなる。図６に示すように、収納凹部４１０の底面には、それぞれ第２復帰ばね４５の上記一端に挿入されるばね受け凸部４１１が突設されている。第１復帰ばね４４の下端部は、ピン挿通穴４２０に挿入されたピン１３の先端に対し、第１復帰ばね４４自身のばね力と第２復帰ばね４５のばね力とによって弾接する。また、光源装置１が取り外されたときには、プランジャ４２は、第１復帰ばね４４と第２復帰ばね４５とのばね力により復帰する。
【００２１】
さらに、右側のソケット４は、リンク機構６の一端に連結されている。リンク機構６は、光源装置１が接続されたときに上方に変位する第１リンク６１と、光源装置１が接続されたときに左方に変位する第２リンク６２とからなる。
【００２２】
右側のソケット４において、収納凹部４１０の底面には、第１リンク６１をソケットボディ４１に対して上下に平行移動可能にガイドする第１ガイド溝４１２が設けられている。また、ソケットボディ４１の上面には、第１リンク６１の上端部を挿通可能な貫通穴であるリンク挿通穴４１３が設けられている。さらに、プランジャ４２の上端部には、プランジャ４２が右方に押し込まれた状態での第１リンク６１との干渉を避けるための切り欠き４２４が設けられている。また、収納凹部４１０の下向きの内面には、第２リンク６２をソケットボディ４１に対して左右に平行移動可能にガイドする第２ガイド溝４１４が設けられている。さらに、ソケットカバー４３の上端部には、図７に示すように第２リンク６２が挿通される貫通穴であるリンク挿通穴４３１が設けられている。
【００２３】
また、右側のソケット４のプランジャ４２の内底面（右面）において挿通穴４２０の間には、第１リンク６１を押圧する押圧凸部４２３が突設されている。押圧凸部４２３の右端面と、第１リンク６１の下端面とは、それぞれ、右方に向かって下方に傾斜した傾斜面となっている。そして、光源装置１が接続されたときには、上記の傾斜面同士の摺接により、プランジャ４２が光源装置１から受けた図１（ｂ）及び図７に矢印Ａ１で示すような右向きの力が上向きの力に変換され、第１リンク６１は図１（ｂ）に矢印Ａ２で示すように上方に平行移動する。さらに、第１リンク６１の上端面と、第２リンク６２の右端面とは、それぞれ、上方に向かって右方に傾斜した傾斜面となっている。そして、上記のように第１リンク６１が上方に平行移動すると、上記の傾斜面同士の摺接により、第１リンク６１から作用する上向きの力が左向きの力に変換され、第２リンク６２は図１（ｂ）及び図７に矢印Ａ３で示すように左方（すなわち、ソケット４からの突出寸法を増加させる方向）に平行移動する。
【００２４】
次に、プラグ５について説明する。プラグ５は、図８に示すように、全体として上下に長い角柱形状であって上端面が上方に向かって左方に傾斜した本体部５１と、本体部５１の下面から突出してレセプタクル１４に挿入される挿入部５２とを有する。挿入部５２には、それぞれ導電材料からなる複数個の雄側接触子（図示せず）が保持されている。ここで、器具本体２には、外部から電力を供給されて光源装置１の光源を点灯させる電力を生成する点灯回路（図示せず）が保持されており、各雄側接触子は、それぞれ例えば柔軟な電線（図示せず）を介して点灯回路に電気的に接続されている。また、レセプタクル１４内には挿入部５２が挿入されたときに上記の雄側接触子が一対一に接触導通する複数個の雌側接触子（図示せず）が保持されており、上記の雄側接触子と雌側接触子とを介して、上記の点灯回路から光源装置１の光源に電力が供給される。上記の点灯回路は、例えば交流電力を入力されて所定電圧の直流電力を生成する直流電源回路であり、周知技術で実現可能であるので詳細な図示並びに説明は省略する。
【００２５】
また、プラグ５の本体部５１の前後両面には、それぞれ、圧縮コイルばねからなる復帰手段としてのプラグ復帰ばね７が軸方向を上下方向に向けて収納されるばね収納凹部５３が設けられている。ばね収納凹部５３において下向きの内面には、上記のプラグ復帰ばね７の上端に挿入される円柱形状のばね受け凸部５４が下方に突設されている。さらに、ボディ３は、図９及び図１０に示すように、それぞれ１個ずつのばね収納凹部５３内においてプラグ復帰ばね７の下端を支持する２個のばね支持部３４を有する。すなわち、プラグ復帰ばね７はプラグ５と器具本体２との間に介装されている。ばね支持部３４は、下方への切り起こしによって形成され、前後方向（図１０での左右方向）の内向きにＬ字形状に曲げられることで先端部をばね収納凹部５３に係入させるものである。製造時には、各ばね収納凹部５３へのばね支持部３４の係入は、各ばね支持部３４をそれぞれ一時的に弾性変形させることで達成される。
【００２６】
以下、本実施形態の動作を説明する。
【００２７】
光源装置１が接続されていない状態（すなわち、プランジャ４２が押し込まれていない状態）では、図１（ａ）に示すように、プランジャ４２は第１復帰ばね４４及び第２復帰ばね４５のばね力により所定の位置に維持され、プラグ５はプラグ復帰ばね７のばね力により光源装置１に干渉しない位置に維持される。
【００２８】
光源装置１を接続する際には、まず光源装置１の左側の各端子ピン１３がそれぞれ左側のソケット４のピン挿入穴４２０に挿入する。この状態で、左側のソケット４のプランジャ４２を各復帰ばね４４，４５のばね力に抗して最大限に左方へ押し込みつつ、光源１の右側の各端子ピン１３をそれぞれ右側のソケット４ピン挿入穴４２０に挿入し、光源装置１から手を離す。すると、左側のソケット４の各復帰ばね４４，４５のばね力により光源装置１が右方に押され、光源装置１からの押力を受けて右側のソケット４のプランジャ４２が図１（ｂ）に矢印Ａ１で示すように右方へ押し込まれる。さらに、プランジャ４２の押圧凸部４２３に押された第１リンク６１が図１（ｂ）に矢印Ａ２で示すように上方に平行移動し、第１リンク６１に押された第２リンク６２が図１（ｂ）に矢印Ａ３で示すように左方に平行移動する。ここで、第２リンク６２の左端面とプラグ５の上端面とはそれぞれ左方へ向かって上方に傾斜した傾斜面となっており、この傾斜面同士が互いに摺接することで、第２リンク６２に作用した左向きの力が下向きに変換されてプラグ５に作用する。これにより、プラグ５はプラグ復帰ばね７のばね力に抗して図１（ｂ）に矢印Ａ４で示すように下方へ変位し、レセプタクル１４に挿入接続される。
【００２９】
また、光源装置１が取り外される（つまり、光源装置１からの押力が作用しなくなる）と、プランジャ４２は各復帰ばね４４，４５のばね力によって復帰し、プラグ５はプラグ復帰ばね７のばね力によって復帰（つまり上方に平行移動）する。また、第１リンク６１は例えば重力によって復帰（つまり下方へ変位）し、第２リンク６２はプラグ５から作用する上向きの力が傾斜面同士の摺接により変換された右向きの力により復帰（つまり右方へ変位）する。
【００３０】
上記構成によれば、器具本体２（ソケット４）への光源装置１の取り付けとともにプラグ５が挿入接続されるので、プラグ５の接続作業を取付作業とは別途に必要とする場合に比べて光源装置１の接続が容易となる。
【符号の説明】
【００３１】
１  光源装置
２  器具本体
５  プラグ
６  リンク機構
７  プラグ復帰ばね（復帰手段）
１４  レセプタクル
【図１】
2013143288.tif 000003
【図２】
2013143288.tif 000004
【図３】
2013143288.tif 000005
【図４】
2013143288.tif 000006
【図５】
2013143288.tif 000007
【図６】
2013143288.tif 000008
【図７】
2013143288.tif 000009
【図８】
2013143288.tif 000010
【図９】
2013143288.tif 000011
【図１０】
2013143288.tif 000012